Podtech/llm-jp-corpus-v4-ja_patent huggingface dataset:
(57)【要約】【課題】  人体の右半身と左半身の血圧を同時測定することができる電子血圧計を提供する。【解決手段】  測定のための操作部と表示部２を具備する電子血圧計本体１について測定部位に装着するカフを第１のカフ３、第２のカフ４と２個具備することで左右の血圧の同時測定を可能にする。【選択図】図１
2015036104.tif 000002
【特許請求の範囲】
【請求項１】
血圧測定の操作部と測定結果の表示部を具備する電子血圧計において、１台の電子血圧計について測定部位に装着するカフを２個具備したことを特徴とする電子血圧計。
【請求項２】
前記電子血圧計に具備されたカフ２個を同時に起動する測定開始スイッチ１個を具備したことを特徴とする請求項１に記載の電子血圧計。
【請求項３】
前記電子血圧計に具備された前記カフ２個のうち第１または第２のカフを起動した後に第２または第１のカフを起動することを特徴とする請求項１に記載の電子血圧計。
【発明の詳細な説明】
【発明の詳細な説明】
【技術分野】
【０００１】  本発明は、人体の右半身と左半身の血圧を同時測定するに好適な電子血圧計に関する。
【関連する背景技術】
【０００２】  近時、電子血圧計は使い勝手の良さと手頃な価格から一般家庭に数多く普及しており、個々人が自身の血圧データを継続して把握することで健康管理に活用されている。
【発明が解決しようとする課題】
【０００３】  しかしながら従来の電子血圧計は１台にカフ１個具備という構成のため、個々人は自分の好みで決めた左右いずれか一方の腕または手首にカフを装着して血圧を測りそれでデータ取得を終了する傾向があり、続けて他方の腕または手首にカフを付け替えて測定することはほとんど行われていない。
このため例えば血栓などによって右半身と左半身の血圧バランスが崩れているような異常状態にあっても、自分の好みで決めた左右いずれか一方の測定値がたまたま標準値に収まっていれば血圧バランスが崩れている異常状態を見逃してしまうリスクがカフ１個を用いたこの測定手順には内在する。逆に言えばカフ１個の付け替え測定を実行することで右半身と左半身それぞれの血圧値がわかり左右の血圧バランス状態のチェックが初めて可能になるわけで、左右両方の血圧を測ることは肝要である。
ただしカフ１個を使い回すこの測定手順では左右の血圧測定を同じ時間帯に実行できないことから、その間の体調変化による血圧変動がそっくり測定誤差になるという問題点があるので、この誤差を実用レベル内に収める何らかの手段を講じなければならない。実際に健康体であっても血圧の最大値と最小値は僅かのきっかけで短時間に大きく変動する性質があり、カフの付け替え前後でこの変動を抑制することはなかなか困難である。
そこで右半身と左半身の血圧バランス状態を正しく知る手段としては同じ時間帯に左右同時に測ることが肝要で、そうすれば測定時間内の変動は左右双方の測定値に取り込まれるがこの変動分は左右測定値の差分を取れば相殺される。この実行にあたり従来は同一型式の電子血圧計を右半身用と左半身用に各１台用いた上でこの２台の血圧計の測定開始スイッチをほぼ同時に押す操作が必要であった。
本発明はこのような不具合を解消するべくなされたもので、その目的は、電子血圧計による右半身と左半身の血圧同時測定を容易ならしめ、測定時間帯の違いで生じる誤差要因を排除した機器を提供することにある。
【課題を解決するための手段】
【０００４】  上述した目的を達成するべく本発明に係る電子血圧計は、１台の電子血圧計についてカフを２個具備したことを特徴としている。
【発明を実施するための形態】
【０００５】  以下、図面を参照して本発明の一実施形態に係る電子血圧計について説明する。
図１は電子血圧計の概略構成を示す図で、１は電子血圧計本体で第１のカフ３および第２のカフ４の制御をつかさどる。２は操作部と表示部であり本例ではタッチパネルとしているが電子血圧計としての機能が実現できれば機械式や電子式何でもよい、５は測定開始スイッチでありこれで第１のカフ３と第２のカフ４を起動する。
【０００６】  人体の右半身と左半身の血圧を同時測定する手順は、例えば先ず第１のカフ３を右上腕部に装着し続いて第２のカフ４を左上腕部に装着した後左右上腕部がほぼ心臓の高さと同じ高さになるような姿勢を保ち呼吸を整えてから測定開始スイッチ５を投入すると、２個のカフがそれぞれ加圧され始めその後加圧が止まりやがて徐々に減圧しながら左右それぞれの血圧を測定記録して行き測定終了となる。片腕についての血圧測定の仕組みは従来の電子血圧計と同じだが、カフが２個同じ時間帯に動作していることが特徴で、測定中に血圧に大きな変動があったとしてもそれは左右の測定値に同時に同程度に反映するから右半身と左半身の血圧バランスを知る上での誤差要因から排除できる。
【０００７】  また第１のカフ３と第２のカフ４の測定開始スイッチ投入時刻が異なる場合には、これら２個のカフについて減圧開始のタイミングをできるだけ合わせることが望ましいので、例えば第１のカフ３が第２のカフ４に先行して起動した場合は第１のカフ３が減圧動作を始めるよりも前に第２のカフ４は加圧動作を終えることが望ましい。
【発明の効果】
以上説明したように本発明によれば、電子血圧計１台にカフを２個具備することで右半身と左半身の両方の血圧を容易に同時測定できるようになり、その左右データを比べることで血栓や動脈瘤などの病気を早期発見可能となるなど、実用上多大なる効果が奏せられる。
【図面の簡単な説明】
【図１】  本発明の一実施形態に係る電子血圧計の概略構成図。
【符号の説明】  １  電子血圧計本体
２  操作部／表示部
３  第１のカフ
４  第２のカフ
５  測定開始スイッチ
【図１】
2015036104.tif 000003
(57)【要約】      （修正有）【課題】レンジ加熱調理で、あたためた食器を、こしのある、折り目のついたシートを食器の下にさしこみ、シートにのせて、シートを手ではさみおさえ、熱をふせいで取り出す又安全でスムーズは動きで、とり出す、作業しやすい、シートを提供します。【解決手段】こしのある、耐水、耐熱、すべり性のよい紙、加工紙、樹脂、シリコンシートを設ける。シート１には、コップ巾、小中大皿巾の寸法にあわせ折り目３、４、５を設ける。コップ巾の所は安定して食器がのるように厚みをもたせる。食器を、やわらかくはさめるように、横にも折り目６を設ける。【選択図】図１
2015036109.tif 000002
【特許請求の範囲】
【請求項１】
こしの強い、耐水、耐熱、すべり性のよい、紙、加工紙、合成樹脂、シリコンなどのシート。
【請求項２】
シートには、コップ巾、小皿、中皿、大皿の巾にあう、折り目をもたせたシート
【請求項３】
シートの中央部分に、食器が安定してのるように厚みをもたせたシート。
【請求項４】
シートには、食器をやわらかくおさえ、はさまめるように、〔請求項２〕のほかにも、縦、横に折り目をもたせたシート。
【発明の詳細な説明】
【技術分野】
【０００１】  本発明は、電子レンジで加熱調理、又あたためた食器を、レシジからとり出すときに、使用するためのシートであって、食器の熱さから手をまもり、かつ安全に食器をシートにのせて、食器の底、食器のふち３点でささえ、もちだす、安定して、動作かってのよいシートに関するものである。
【背景技術】
【０００２】  従来、レンジ加熱調理、あたためた飲みものなどの食器が高温になるため、熱をふせぐ手袋、布なとが利用されている。食器のフチ２点で、はさみ、持ちあげられているため、なかなか不安定なかたちで、とり出している。
【発明の開示】
【発明が解決しようとする課題】
【０００３】  レンジ加熱された料理、あたためた食器は高温になり、取り出すときに、次のような問題があった。
レンジ加熱調理、あたためた食器は高温になり、手をまもるために、手袋、布とうで熱をふせぎ、両手でつまみ、はさみ、おさえ、ささえ持ち両手をあげながら、取り出している。食器をテーブルに置くときは、ささえもった食器を、ささえ持ちながら、下げて置きます。この持ち方は食器の底をささえられず、フチ２点を手で、はさみ持ちあげ、移動する動作で、何か不安定感があります。又動きずらい動作です。
本発明は、以上の問題を解決して、とりだします。シートをさし込みチョイトのせて、底１点、フチ２点の３点でささえもち移動します。又置くときは、すべるようにテーブルに置くこともできます。又底の熱から、テーブル塗装をまものためシートごとおくこともできるようになされたものである。
【課題を解決するための手段】
【０００４】  こしの強い、紙、加工紙、合成樹脂、シリコンなどのシートに、折り目を設ける。折り目は、コッフ巾、小、中、大皿の巾にあう折り目を設ける。シートが食器をはさみやすくなるように縦、横に折り目を設ける。コップ巾のところには食器が安定してのるように少々厚みを設ける。
本発明は、以上の構成によりなる。シートを食器の下にさし込み、シートではさみ、シートで熱をふせぐ、とり出すシートである。
【発明の効果】
【０００５】  本発明を使用すると、高温になったレンジ加熱食器の下に、シートをさしこみ、シートにのせ、両手で食器をシートではさみながら、又シートで熱をふせぎながら、食器の底１点とフチ２点の３点でもちあげる安定した動作で食器をとり出すことができます。又シートをななめにすることで食器はすべりおちます。３点で安定して置く安定した動作で、おけます。又、食器の底が高温りなります、シートごとおくことで、直接熱をつたえることなく、おくことができ、テーブルの塗装の変色をもふせぎます。
【発明を実施するための手段】
【０００６】（イ）、こしの強い、紙、加工紙、合成樹脂、シリコン（１）、を設ける。
（ロ）（１）シートには、耐水、耐熱性のよいものを設ける。すべり性のよい物を設ける。
（ハ）（１）シートの、中央部分には食器が安定してのるように、中央厚み（２）を設ける
（ニ）（１）シートには、コップ巾、中皿巾、大皿巾にあう折り目（３）、（４）、（５）、を設ける
（ホ）コップや皿をやわらかくはさめるように縦折り目（３）、（４）、（５）、以外に横折り目（６）、を設ける
【図面の簡単な説明】
【０００７】
【図１】本発明の上視図
【図２】本発明の横視図
【符号の説明】（１）紙、加工紙、合成樹脂、シリコン、シート、（２）中央厚み、（３）（４）（５）折り目、（６）横折り目
【図１】
2015036109.tif 000003
【図２】
2015036109.tif 000004
(57)【要約】      （修正有）【課題】従来の携帯イスは折りたたんでも体積があり重さもある、又、軽い携帯イスもあるが、デザインに幅がなかった。組み立て解体が簡単で軽くて体積の小さい持ち運びに便利でデザインに幅がある組み立て携帯イスを提供する。【解決手段】座る盤１のネジ穴２に、ロット５の一方のネジ山６をねじ込みで接続し、ロット５のもう一方のネジ山７を台座盤３のネジ穴４にねじ込むことで組み立てる携帯イス。【選択図】図１
2015036103.tif 000002
【特許請求の範囲】
【請求項１】
座る盤と台座盤の中央にネジ穴を設け、ロットの両端にネジ山を設ける、
ロットの両端のネジ山をそれぞれ座る盤のネジ穴と台座盤のネジ穴にねじ込むことで脱着出来るようにした組み立て携帯イス。
【発明の詳細な説明】
【技術分野】
【０００１】本発明は、座る盤と台座盤をロットへ脱着するイスである。
【背景技術】
【０００２】従来、携帯イスは折りたたんでも重さと体積があり、軽い携帯イスもあるが、デザインに幅がなかった。
【発明の概要】
【発明が解決しようとする課題】
【０００３】従来、携帯イスは折りたたんでも重さと体積があり、軽い折りたたみ携帯イスもあるがデザインに幅がなかった。
本発明は、以上の問題点を解決するためになされたものである。
【問題を解決するための手段】
【０００４】座る盤（１）にネジ穴（２）をも請け、台座盤（３）にネジ穴（４）を設ける、
ロット（５）の両端にネジ山（６）を設ける。
座る盤（１）のネジ穴（２）にロット（５）のネジ山（６）をねじ込み、台座盤（３）のねじ穴（４）にロット（５）のネジ山（７）をねじ込む構造で、座る盤（１）も台座盤（３）もロット（５）から脱着が簡単でコンパクトに収納出来重量も軽く出来る。
【発明の効果】
【０００５】本発明の組み立て携帯イスは、構造が簡単で重量が軽く体積も少ない、組み立て・収納の取り扱いが簡単でデザイン性にも優れ、組み立てたままでの持ち運びもらくである。
【図面の簡単な説明】
【０００６】
【図１】本発明の側面カット図
【図２】本発明を組み立てた斜視図
【図３】本発明の座る盤の表側の斜視図
【図４】本発明のロットの斜視図
【図５】本発明の台座盤の斜視図
【発明を実施するための形態】
【０００７】  以下、本発明の実施の形態を説明する。
（い）  座る盤（１）のネジ穴（２）にロット（５）のネジ山（６）をねじ込む。
（ろ）  台座盤（３）のネジ穴（４）にロット（５）のネジ山（７）をねじ込む。
本発明は以上のような構造である。
本発明を使用すときは、台座盤（３）を地面に置き、座る盤（１）に腰掛ける。
本発明を収納する時は、座る盤（１）のネジ穴（２）からロット（５）のネジ山（６）をねじり出す、台座盤（３）のネジ穴（４）からロット（５）のネジ山（７）をねじり出す。
【符号の説明】
【０００８】１  座る盤、  ２  ネジ穴、、３  台座盤、  ４  ネジ穴、
５  ロット、  ６  ネジ山、  ７  ネジ山
【図１】
2015036103.tif 000003
【図２】
2015036103.tif 000004
【図３】
2015036103.tif 000005
【図４】
2015036103.tif 000006
【図５】
2015036103.tif 000007
(57)【要約】【課題】回転側ケーシングの開口縁部と固定側ハウジングの開口縁部との間に外部からの針金状の細長い異物が前記隙間に侵入しても前記異物がフローティングシールまで侵入することを防止する。【解決手段】油圧駆動減速装置１０は、回転側ケースシング１１と固定側ハウジング１２とが、ベアリング１３によって回転可能に設置されている。一対のフローティングシール１６は、Ｏリング１４ａ及び１４ｂ、シールリング１５ａ及び１５ｂが押し付けられている。回転側ケーシング１１の開口縁部１７と固定側ハウジング１２の開口縁部１８との間に円周方向に指向する複数の溝１９，２０が軸心方向に設けられている。【選択図】図１
2015036472.tif 000002
【特許請求の範囲】
【請求項１】
一端に開口を有し減速機を覆って減速機により回転駆動される回転側ケーシングと、
下部走行体側に固定され回転側ケーシングの一端開口をその回転が可能なように閉鎖する固定側ハウジングと、
前記回転側ケーシング及び固定側ハウジングの内側にそれぞれＯリングで支持され回転側ケーシングの回転時に互に摺動して回転側ケーシング及び固定側ハウジングの間を密封する一対のシールリングにより構成されたフローティングシールと、を備え回転側ケーシングの回転により下部走行体を走行させる建設機械の減速装置において、
前記回転側ケーシングの開口縁部と前記固定側ハウジングの開口縁部との間の僅かな隙間の途中に円周方向に指向する複数の溝を設けることにより、外部からからの針金状の細長い異物が前記隙間に侵入しても前記溝部に引っ掛かることで、フローティングシールまでの侵入を防止することを特徴とする油圧駆動減速装置。
【発明の詳細な説明】
【技術分野】
【０００１】
本発明は、建設機械・農具機械等の使用される油圧駆動減速装置に関し、さらに詳細には油圧ショベルの走行駆動装置のようなクローラーによって走行する油圧駆動減速装置に関するものである。
【背景技術】
【０００２】
油圧ショベル、クレーン、ホイールショベル等の自走式の建設機械では、走行用の油圧モータの回転を減速装置で減速することにより高トルクの回転を下部走行体に伝達して下部走行体を走行させる。下部走行体としては、履帯（クローラベルト）で走行するクローラー、下部架台にタイヤの付いた走行車軸を装備したホイール式、下部走行体にトラックシャシーをそのまま使用したトラック式等種々のタイプが知られている。
【０００３】
従来、この種の駆動減速装置としては、減速機で回転駆動される回転側ケーシング１１と、下部走行体側に固定され回転側ケーシング１１の一端開口をその回転が可能なように閉鎖する固定側ハウジング１０と、固定側ハウジング１０及び回転側ケーシング１１の内側にそれぞれＯリング１４，１５で支持され回転側ケーシング１１の回転時に互に摺動して固定側ハウジング１０と回転側ケーシング１１の間を密封する一対のシールリング２２，２３で構成されたフローティングシール２６とを備え、回転側ケーシング１１の回転により下部走行体を走行させる建設機械の減速装置において、燐酸塩皮膜２２ｂ，２３ｂを摺動面２２ａ，２３ａに形成するようにシールリング２２，２３全体を皮膜してフローティングシール２６を構成したことが知られている（例えば、特許文献１参照。）。
【先行技術文献】
【特許文献】
【０００４】
【特許文献１】特開平２００３−３４３７４０号公報
【発明の概要】
【発明が解決しようとする課題】
【０００５】
この場合、特許文献１においては回転側ケーシングの開口縁部と固定側ハウジングの開口縁部との間に僅かな隙間が設けられており、この隙間はクランク形状に形成されている。
外部から針金状の細長い異物が前記クランク形状の隙間に侵入した場合、異物はこのクランク形状の溝にガイドされながらフローティングシールまで入り込む可能性がある。このため、フローティングシールまで入り込んだ異物はシールリングやＯリングに挟み込まれて、フローティングシールが損傷し内部からの油漏れに繋がる問題がる。
【０００６】
本発明は係る課題を解決するためにされたもので、回転側ケーシングの開口縁部と固定側ハウジングの開口縁部との間に僅かな隙間の途中に円周方向に指向する複数の溝を設けることにより、外部からの針金状の細長い異物が前記隙間に侵入しても前記溝部に引っ掛かることで、フローティングシールまで侵入を防止することを目的とする油圧駆動減速装置を提供する。
【課題を解決するための手段】
【０００７】
前記課題を解決するため本発明は、
一端に開口を有し減速機を覆って減速機により回転駆動される回転側ケーシングと、
下部走行体側に固定され回転側ケーシングの一端開口をその回転が可能なように閉鎖する固定側ハウジングと、
前記回転側ケーシング及び固定側ハウジングの内側にそれぞれＯリングで支持され回転側ケーシングの回転時に互に摺動して回転側ケーシング及び固定側ハウジングの間を密封する一対のシールリングにより構成されたフローティングシールと、を備え回転側ケーシングの回転により下部走行体を走行させる建設機械の減速装置において、
前記回転側ケーシングの開口縁部と前記固定側ハウジングの開口縁との間の僅かな隙間の途中に円周方向に指向する複数の溝を設けることにより、外部からからの針金状の細長い異物が前記隙間に侵入しても前記溝部に引っ掛かることで、フローティングシールまで侵入することを防止することを特徴とする。
【発明の効果】
【０００８】
本発明は、回転側ケーシングの開口縁部と固定側ハウジングの開口縁との間の僅かな隙間の途中に円周方向に指向する複数の溝を設けることにより、外部からからの針金状の細長い異物が前記隙間に侵入しても前記溝部に引っ掛かることで、フローティングシールまで侵入することを防止することができる。
【図面の簡単な説明】
【０００９】
【図１】本発明の実施の形態に係る油圧駆動減速装置の要部を示す拡大図である。
【発明を実施するための形態】
【００１０】
以下、本発明の実施の形態に係る油圧駆動減速装置につき好適な実施の形態を挙げ、添付図面を参照して詳細に説明する。
図１に示すように、油圧駆動減速装置の要部は、回転側ケースシング１１と固定側ハウジング１２とが、ベアリング１３によって回転可能に設置されている。参照符号１６は一対のフローティングシールを示しており、Ｏリング１４ａ及び１４ｂ、シールリング１５ａ及び１５ｂが押し付けられている。
【００１１】
さらに、回転側ケーシング１１の開口縁部１７と固定側ハウジング１２の開口縁部１８との間に円周方向に指向する複数の溝１９，２０が軸心方向に設けられている。
かかる構成により、外部から針金状の細長い異物が回転側ケーシングの開口縁部と固定側ハウジングの開口縁部との間の僅かな隙間に侵入した場合、クランク状の隙間の途中に設けた溝部に引っ掛かるため、異物がフローティングシールまで入り込むことを防止することができる。
【符号の説明】
【００１２】
１０  油圧駆動減速装置                １１  回転側ケーシング
１２  固定側ハウジング                １３  ベアリング
１４ａ，１４ｂ  Ｏリング              １５ａ，１５ｂ  シールリング
１７、１８  開口縁部                  １９，２０  溝部
【図１】
2015036472.tif 000003
(57)【要約】【課題】肩のバランスの悪い人、▲１▼両肩の下がっている人。▲２▼肩のどちらかが下がっている人。両方の人も、片方の人も、シルエットがよくないので、肩にパットを入れて、体型の見た目を補正しているが、上着だけの補正という実態があり、Ｙシャツ、Ｔシャツ姿の多くなった今日、肩のアンバランスを補正する衣服を作り解決することができた。【解決手段】シャツ（下着）の肩部（１）の裏側に、肩を覆う長さ（２）と幅（３）、そして、バランスをよく見える高さまで高さ（４）をもった肩パット（５）とそれを収納する袋状に共生地で収納口をつける。（６）を（１）の部分に縫い付ける。【選択図】図１
2015036463.tif 000002
【特許請求の範囲】
【請求項１】
シャツ（下着）の裏側肩部に取り付けた肩パットを収納する袋、袋の開口部は、両そで側にある。
【請求項２】
シャツの肩パット収納袋の入り口には、収納した肩パットが、「ずれ」たり、「落ちたり」しないように、固定する目的で取り付けた幅のある紐。
【請求項３】
紐の先端にはマジックテープ凸を付ける。シャツの内側の肩部分にマジック凹を付ける。
【請求項４】
両肩または片方の肩の高さを補正するために、シャツの肩部につけた肩パットを収納する袋つきのシャツと、その袋に収納する肩パット。
【発明の詳細な説明】
【技術分野】
【０００１】  本発明は、肩の高さが左右違う人や、肩の下がった（撫で肩の）人の肩の高さを補正する事を目的として作られた下着に関するものである。
【背景技術】
【０００２】  従来、肩の高さの違う人、肩の下がっている人は、上着（主に背広）の肩部の内側に、補正用のパットを縫い込んで、肩の高さをバランスのよい形に調整していた、このために以下の問題が生じていた。【０００３】  問題点は、上着に取り付けた「肩パット」で調整しているので、当該上着のみが補正できる。このことは、購入した上着全てに肩パットを取り付ける必要があった。また、上着を脱ぐと、本来の「左右の違い」や「撫で肩」が出てしまい。アンバランスを露見することになる。
【発明の開示】
【発明が解決しようとする課題】
【０００４】  解決しようとしている問題点は、「肩の高さが違う人」や、「撫で肩の人」はそうでない人の服（既製服等）を着用すると、シルエットがアンバランスになってしまうことにあります。また、調整するためには、上着購入時に都度「改良」を依頼することになり、手間・金・時間が掛かっていた。
【課題を解決するための手段】
【０００５】  本発明は、下着の両肩部の内側（図１）に「肩パット収納袋」（図４・図５）を取り付け、その肩パットが脱落しないように、出入り口を止める紐を取り付け、「収納される専用肩パット」を作る事により、シャツの上にどのような、背広・ジャケット・Ｙシャツ・セーター・カーディガンを着用しようと、肩のシルエットが美しく見えることを特徴としている。
【発明の効果】
【０００６】  肩の高さの違う人や、撫で肩の人のシャツの左右の肩部内側についた袋の中に、その人のシルエットがよくなる高さの肩パットを入れて、落ちないように特殊の紐で綴じることにより、その上にどのような上着を着ようとも、美しいシルエットが保たれる。（図５）
【発明を実施するための最良の形態】
【０００７】  本実施の形態の肩の高さ補正のための肩パット収納袋付きシャツにおいては、肩パットは、挿入取り出しの容易さと、長期間着用中の「ズレ」を無くすために、外側向きの着脱口と、ズレ防止用の「紐」による「支え」を取り付ける。（図４・図５・図６）【０００８】  肩パットの覆い布と、肩パット収納袋の生地は、着用したときに違和感が生じないように、同一の生地とすること。（図７）
【産業上の利用可能性】
【０００９】  本発明の考えを利用することにより、肋骨等を病気・事故等により切除し、結果として、左右の肩等の高さが違う人の洋服着用時での体型の補正などに利用可能である。
【図面の簡単な説明】
【００１０】
【図１】  全体図：当該シャツの肩の高さ補正用肩パット収納袋（左右）の位置関係
【図２】  前身頃・後身頃：収納袋の取り付け位置は、前身頃と後身頃の中間
【図３】  取り付け部展開図：肩パットの収納袋の位置と肩パットのズレ防止用の紐の位置関係
【図４】  肩パット収納袋外側：収納後に固定するために紐で止めるが、その際のマジックテープの凹凸
【図５】  肩パット収納袋内側：マジックテープの凹凸
【図６】  収納袋の取り付け部：
【図７】  肩パット：挿入時のすべり易さ、交換可能で、選択時の取りだし対応から、生地等を選定している。
【符号の説明】
【図１】
2015036463.tif 000003
【図２】
2015036463.tif 000004
【図３】
2015036463.tif 000005
【図４】
2015036463.tif 000006
【図５】
2015036463.tif 000007
【図６】
2015036463.tif 000008
【図７】
2015036463.tif 000009
(57)【要約】【課題】本発明は、手の保護や作業の触覚感度を高めるために、強度が強く弾性に富んだ密着性の高い材質で製造された手袋を手が汚れずに脱ぎやすくすることを目的とする。【解決手段】本発明は、手袋本体１の手のひら中央部に指が挿入できるほどの袋状部２を設け、そこへ反対側の指を挿入し袖口３付近まで伸ばした後、手の指方向へ裏返しに引っ張ることにより、汚物が手に付着せずに脱ぐことを可能とするものである。特に強度が高く弾性に富み密着性が強い手袋でも、容易に脱ぐことができる。【選択図】図１
2015036464.tif 000002
【特許請求の範囲】
【請求項１】
手袋の手のひら部に、作業者の指が挿入できる大きさの袋状部（２）を設けた手袋。
【発明の詳細な説明】
【技術分野】
【０００１】本発明は、医療・研究開発・介護・食品・園芸・清掃・毛染め等の作業に使用する際に、作業者の指が挿入できる袋状部を設けた手袋に関するものである。
【背景技術】
【０００２】医療・研究開発・介護・清掃・食品製造等の職場や園芸・清掃、毛染め等の家庭において、作業時に汚物が直接手に触れないための手袋が広く普及している。なお、防水手袋の手の平側に本体を引き上げる目的で突起物を設けた発明が知られている。（特許文献１）
【先行技術文献】
【特許文献】
【０００３】
【特許文献１】実用新案登録第３１４０７６２号公報
【発明の概要】
【発明が解決しようとする課題】
【０００４】現在、医療・研究開発の現場や清掃、食品製造等で普及している手袋は、手の保護や作業の触覚感度を高めるため、強度が高く弾性に富んだ密着性の高い材質で製造されている。このため、作業終了後に汚染物が手に付着せずに手袋を脱ぐことが困難であり、汚染物が手に付着した場合には、特に医療・研究部門や放射性物質を扱う作業では人体に重大な影響に関わることもある。
【課題を解決するための手段】
【０００５】本発明にあっては、上記課題を解決するため、手袋の手のひら部に指が挿入できる袋状部を設けた。
【発明の効果】
【０００６】手袋に作業者の指が挿入できるほどの袋状部を設け、そこへ装着した手の反対側の手の指を挿入し袖口まで伸ばした後、手の指方向へ裏返しに引っ張ることにより、汚物が手に付着せずに脱ぐことが可能となる。特に強度が高く弾性に富み密着性が強い手袋でも、容易に脱ぐことができる利便がある。
【図面の簡単な説明】
【０００７】
【図１】本発明の平面図である。
【図２】本発明の側面方向からの断面図である。
【発明を実施するための形態】
【０００８】手袋本体（１）の手のひら部に作業者の指が挿入できる大きさである開口部周囲５ｃｍ〜１０ｃｍ、奥行１ｃｍ〜１０ｃｍの扁平な袋状部（２）を中指付け根部分から袖口方向へ中指の長さの２分の１の距離の手のひら部中央地点に設ける。手のひら部に設けた袋状部（２）を内側にして手袋を装着する。使用後、手袋を外す際に装着した手の反対の手の指を袋状部（２）に挿入し、挿入した指を弾力性のある材質を利用して手袋袖口部分（３）まで伸ばした後、装着した手の指方向へ裏返しに引っ張ることにより、汚物が手に付着せずに容易に脱ぐことができる。また、皮革や繊維など伸縮性のない材質の場合には指全体が挿入できる奥行の袋状部にすることでも実施可能であり、袋状部の設置場所は手袋の甲側に設けても手の平に設けた場合と同様な利便を確保して実施可能である。
【符号の説明】
【０００９】１  手袋本体
２  袋状部
３  袖口
【図１】
2015036464.tif 000003
【図２】
2015036464.tif 000004
(57)【要約】      （修正有）【課題】価格変動のある金融商品で定期積み立てを行う場合に、買い付け価格を分散し変動リスクを軽減させるために、指値注文を用いた積立金融商品を提供する。【解決手段】レンジ上限（１）、レンジ下限（２）、刻み幅（３）、取引通貨（１００通貨単位）（４）、利益獲得有無（５）、利益獲得金額（６）、全決済レート指定有無（７）、全決済レート（８）の条件を設け、指値配列を作成し、現レートに近い所から順番に、現レートを挟んだＯ・Ｃ・Ｏ（オーシーオー）注文を自動で発注させることで買い付けを行わせる。【選択図】図２
2015036969.tif 000002
【特許請求の範囲】
【請求項１】
事前の条件設定、レンジ上限（１）、レンジ下限（２）、刻み幅（３）、取引通貨額（１００通貨単位）（４）、利益獲得有無（５）、利益獲得金額（６）、全決済レート指定有無（７）、全決済レート（８）のデータを基に、積立金入金確認後、現レートに近いところから順番にコンピューターが自動で指値注文を発注していく。買い付けが確定し利益がでているものについては、利益獲得の決済や、決済が完了した後で決済前と同じ条件の指値注文を繰り返しだせるリピート機能を持った積立型金融商品。
（イ）指値で積み立てを行う
（ロ）利益獲得の決済機能がある
（ハ）リピート発注機能がある
【発明の詳細な説明】
【技術分野】
【０００１】この発明は、金融商品の積み立て方式に関するものである。
【背景技術】
【０００２】従来の金融商品の積み立て方法は、ドルコスト平均法にて、積立額の着金確認後その時の市場価格にて買い付けを行うのが一般的であり、買い付け価格を均等に分散させることや利益確定の指定をすることができなかった。
【先行技術文献】
【特許文献】
【０００３】
【発明の概要】
【発明が解決しようとする課題】
【０００４】これは次のような欠点があった。
（イ）買い付け価格を実際の値動きに対して平準化し難い
従来、価格変動のある金融商品を毎月一定単位で積み立てを行うと、滞在期間の長くなるレンジ相場（往来相場）の価格帯では買い付け量が増え、滞在時間の短いトレンド相場（上昇・下降相場）の価格帯では買い付け量が少なくなってしまう。その結果、実際の値動きの平均値と乖離が出てしまい、変動リスクを軽減するための買い付け方式としては十分と言えなかった。
（ロ）レンジ相場（往来相場）では収益を高めることが難しかった
部分的な決済機能を持たない従来の積み立て商品では、往来相場でも決済機能が無いために、往来を利用した差益の獲得ができないために、効率よく収益を高めることが難しかった。
本発明は、以上のような欠点をなくすためになされたものである。
【課題を解決するための手段】
【０００５】レンジ上限（１）、レンジ下限（２）、刻み幅（３）の項目により算出された積立回数分の配列に、一定の取引通貨額（４）の買い付け指値を格納し執行させることで、指値のよる買い付けを可能にする。指値を利用することで、買い付け価格を均等に分散することが可能となり、価格変動に合わせた買い付け価格の平準化が図れるようになる。
また、一括または買い付け価格別に利益確定ができる機能や、決済完了後に同じ条件で再発注を行わせるリピート発注機能も持たせる。
（イ）指値で積み立てを行う
（ロ）決済指定機能がある
（ハ）リピート発注機能がある
本発明は、以上の機能を持たせたプライス分散型積立商品である。
【発明の効果】
【０００６】指値による積立を実現することで、買い付け価格の分散が図れ、価格変動に合わせた買い付け価格の平準化が可能になる。また、利益確定機能や決済完了後のリピート機能を加えることで、買い付け取引額の範囲内で収益性を高めることができるようになる。これらの機能を全てコンピューターに行わせるので、投資家の手を煩わせることはない。
【図面の簡単な説明】
【０００７】
【図１】  本発明の全体構造フロー図である。
【図２】  本発明の指値執行フロー図である。
【発明を実施するための形態】
【０００８】以下、本発明を実施するための形態について説明する。
運用条件として事前に入手したレンジ上限（１）、レンジ下限（２）、刻み幅（３）、取引通貨額（４）、利益確定有無（５）、利益獲得金額（６）、決済レート指定有無（７）、決済レート（８）の条件を基に全体構造フロー図の流れに従って積立を行う。積立金額は、レンジの上限より順番に（指値価格＋手数料）×取引通貨額で算出された金額を毎月積み立て口座に入金していく。
指値の執行は、新たな積立金額の着金確認後、指値配列管理図を基に指値執行フロー図に従ってコンピューターが自動で行っていく。
【符号の説明】
【０００９】１．レンジ上限
２．レンジ下限
３．刻み幅
４．取引通貨額（１００通貨単位）
５．利益獲得有無
６．利益獲得金額
７．全決済レート指定有無
８．全決済レート
※５・６または７・８はいずれか片方のみ指定可能
【図１】
2015036969.tif 000003
【図２】
2015036969.tif 000004
2015036969.tif 000005
【手続補正書】
【提出日】平成25年12月8日(2013.12.8)
【手続補正２】
【補正対象書類名】図面
【補正対象項目名】全図
【補正方法】変更
【補正の内容】
【図１】
2015036969.tif 000006
【図２】
2015036969.tif 000007
【図３】
2015036969.tif 000008
【図４】
2015036969.tif 000009
【手続補正３】
【補正対象書類名】明細書
【補正対象項目名】０００７
【補正方法】変更
【補正の内容】
【０００７】
【図１】全体構造フロー図  自社取引口座からの振替、または他銀行口座からの自動引き落としにより積立金が集められる。毎月の積立金額は、事前に条件設定した積立配列の高い約定金額順に引き落としがされる。毎月の積立入金が確認されたら、現在のレートを基準に、まだ未発注の配列にＯＣＯ注文が発注される。※Ｏ．Ｃ．Ｏ注文とは、同一水準の２つの注文を同時に発注し、１つの注文が成立すると、ひとつの注文が自動取り消しされる注文である。
【図２】積立執行イメージ図  一般的なドルコスト平均法による積立では価格帯に関係なく、積立入金時の価格帯で購入が執行されるが、今回申請する指値機能付き積立は、購入価格を指値注文で指定することで、異なる購入価格帯での買い付けを可能にするものである。
【図３】指値執行フロー図  積立開始前に下記に記載した条件設定項目を利用者に登録いただき、積立回数（Ｎ）に達するまで指値注文が執行される。指値注文は基本、ＯＣＯ注文で発注されるが、現在価格以上または以下の配列がすべて埋まっている場合は、１つの価格を指定した指値注文となる。
【図４】指値注文執行フロー例  条件設定項目に入力された内容を基に、（上限−下限）÷刻み幅  ＋  １の計算式で算出された積立回数分の購入価格が配列に設定されていく様子を表したものである。
【手続補正４】
【補正対象書類名】明細書
【補正対象項目名】０００９
【補正方法】変更
【補正の内容】
【０００９】１．上限レート（価格）
２．下限レート（価格）
３．刻み幅（または  積立回数）
４．取引通貨（商品・株式・証券・債権など）
５．利益確定有無（フラグ）
６．利益確定金額
７．全決済レート指定有無（フラグ）
８．全決済レート
※上限、下限、刻み幅により積立回数が決定する。
(57)【要約】【課題】  敷地の舗装部分を、自由な形状かつきれいに仕切ることが可能である。【解決手段】  舗装したい面の終端部に器材を置くことで、舗装面を自由な形状に土留めたり仕切ることが可能である。【選択図】図３
2015036506.tif 000002
【特許請求の範囲】
【請求項１】
この特許の想定する主たる使用範囲は、アスファルトやコンクリートなどの舗装をする時に、終端部の土留めや仕切り用に使用するが、この器材を使って舗装部と土部を仕切るとか、土などで土間を仕切るなどのように、境を作る工作作業に使うことも可能である。
【請求項２】
この器材の材質は、強化プラスチックや硬質ゴムなどを想定するが、熱に強く様々な形状を作れる物ならば、基本的に材質は選ばない。
【請求項３】
この器材の形状は、直線だけでなく、敷地面に円形や大小の島形、あるいは波形などを作るため、様々な形が考えられる。
【請求項４】
この器材の終端部の形状は、水平のほかに面を斜めにすることで水切りを良くすることも可能である。
【請求項５】
この器材の色は、舗装材の色に合わせることも可能とする。
【請求項５】
この器材の使用方法は、必要数量の器材をそれぞれジョイントし、器材を敷地面に置いて使用するが、その器材を敷地面に固定するためにビスやペグ状のものなどを使用することも可能とする。
【請求項６】
この器材のジョイントの突起部は、脱着可能とする。
【発明の詳細な説明】
【技術分野】
【０００１】  本発明は、アスファルトやコンクリートなどで舗装したときの終端部を、直線や円形など自由な形に簡易に土留めたり仕切るために用いる器材である。【０００２】  本器材の使用範囲は、舗装に使用するだけでなく、ある範囲をそれ以外の部分とに仕切るという、物理的区分全般に使用することも可能である。
【背景技術】
【０００３】  舗装に際し、舗装の終端部を土留めたり仕切る場合は、従来の方法としてはそのまま舗装材のみで止めるか、または木材やコンクリートの角材で仕切っていました。
しかし、舗装材だけで終端部を止めるとか木材で終端部を押さえただけでは、直線的にも見た目にもきれいに仕上げることは難しく、長期的には欠損してしまうこともある。
また一般的に使われているコンクリートの角材では、仕上がりはきれいであるが、角材を設置する手間とか労力、そして付帯する材料などもかなり掛かり、さらに終端部を自由な形状にするためには、更なる手間が掛かった。
【発明の概要】
【発明が解決しようとする課題】
【０００４】  この器材によって解決しようとする問題点は、舗装の終端部を簡易にそしてきれいに仕上げるためのものである。【０００５】  この器材を使用することで、敷地内を必要最小限に舗装することが可能となり、無駄な舗装材を減らすことで、舗装費用の軽減も可能となる。
【課題を解決するための手段】
【０００６】  本器材は、舗装の前に様々な形状に器材を据えることによって、器材の形状に合わせて終端部を直線的にも円形にも仕上げることができるのが特徴である。【０００７】  本器材をカラー材料で作ることにより、舗装材の色に合わせた面を作ることができ、違和感の無い敷地空間を提供できる。
【発明の効果】
【０００８】  本発明の器材によって終端部がきれいに土留めたり仕切れると、敷地面を単に舗装するというだけでなく、敷地を様々な形状に仕切ったり、舗装部を大小の島に配置したり、さらにその間を通路を作って結ぶことができるようになる。【０００９】  お店やレストランの庭先をカラーの舗装材などで仕切ることで、洗練された空間を提示し、今まで以上に敷地内に自然物や移動物、据付物を配置することができるようになる。
【図面の簡単な説明】
【００１０】
【図１】  器材の基本形状である。
【図２】  器材の敷設及びジョイント方法である。
【図３】  舗装想定俯瞰図である。
【発明を実施するための形態】
【００１１】  この器材の使用方法は、舗装の終端部に単に添えて置くのではなく、器材の底面部に舗装部分をかぶせることによって、舗装部と器材を一体化するように置くものである。
【００１２】  この器材の設置は、単に置くだけで使用することも可能であるが、基本的には機材の配置ごとに底面と一体化させるために、ビス止めなどの工法を想定している。
【産業上の利用可能性】
【００１３】  この器材を使って敷地を舗装することにより、舗装部と土地部を自在に仕切り、雨水対策や舗装の必要の無い部分の自然状態を保つことができ、環境面での冷熱効果も期待できる。【００１４】  この器材を様々な高さや大きさにすることによって、従来のコンクリートを使った仕切り工事に取って代わるものになる可能性がある。【００１５】  今までは、ほとんどが全面舗装という方法しかなかった舗装方式に、この器材の使用によって部分舗装が簡単にできるようになり、庭という場所にも舗装が可能となり、設計士や庭師のかかわる部分が増える。
【符号の説明】
【００１６】  １  ジョイント穴部
２  舗装下部
３  舗装終端部
４  ジョイント突部
５  ピン用穴部
６  ジョイント穴部
【図１】
2015036506.tif 000003
【図２】
2015036506.tif 000004
【図３】
2015036506.tif 000005
(57)【要約】【課題】  簡単且つ効率的に膏薬が皮膚に貼ることができる湿布剤を提供する。【解決手段】保護シートの上にさらに保持シートを設け、湿布の両側の辺のシート同士を接合した接合部を設けて、保護シートと保持シートの間に手を入れることができることを特徴とした湿布剤。【選択図】図２
2015036380.tif 000002
【特許請求の範囲】
【請求項１】
保護シートの上にさらに保持シートを設け  湿布の両側の辺のシート同士を接合した接合部を設けたことを特徴とする湿布剤。
【請求項２】
保護シートと保持シートの間に手を入れることができる請求項１の湿布剤。
【発明の詳細な説明】
【技術分野】
【０００１】  簡単且つ効率的に膏薬を皮膚に貼ることができる湿布剤に関するものである。
【背景技術】
【０００２】  消炎鎮痛湿布剤は  消炎や鎮痛等の目的で膏薬が皮膚表面に密接するように皮膚に貼り使用される。
従来の湿布剤は  布や紙等で形成されたシート状の支持体とその表面に薄く塗布等された膏薬、さらに膏薬を保護する柔軟性を有する保護シートからなる。最近は保護シートを中央で分割するタイプが多い。この保護シートの使用面積を少なくし簡単かつ容易に貼着できる湿布剤の考案もある。【０００３】しかしながら、フイルム状の保護シートは粘着性を有する膏薬表面に密接するものであるため、湿布剤を用いる際に膏薬表面を露出させようと保護シートを剥離するとき、薄い保護シートを摘み出すのに手間がかかることがある。
また、手先を器用に動かすことが困難である高齢者にとって、保護シートを膏薬表面から剥離する作業は困難なものとなりうる。
このような保護シートの膏薬表面からの剥離作業を容易ならしめるため下記の様な特許文献が紹介されている。
【先行技術文献】
【特許文献】
【０００４】
【特許文献１】実開平７−４４７４７
【特許文献２】特許公開２００６−３２６００４
【特許文献３】特許公開２０１０−１７９０７９
【発明の概要】
【発明が解決しようとする課題】
【０００５】  従来の湿布剤には、次のような問題点があった。
▲１▼現在良く使用されているのが保護シートを左右に分かれるように中央で分割したものが多い。
そのため湿布の中央に手指を運び保護シートを把持しつつ膏薬表面から剥離しながら患部に付着させるのであるが、この際、支持体に皺ができないようにするのに苦心を要する。
▲２▼湿布を貼るとき掴む保護シートの部位が小さいため落下することがある。
本発明は  以上の問題を解決しようとするものである。
【課題を解決するための手段】
【０００６】  従来の湿布の保護シートの上にさらにシートで覆う保持シートを設け、湿布の両側の辺のシート同士を接合した接合部を設けることにより、保護シートと保持シートの間に手を入れることができる。以上を特徴とする湿布である。
【発明の効果】
【０００５】  シート間に手を入れることにより湿布を手に保持し易くなる。シート間に入れた手の手のひらと皮膚との間に湿布があるため湿布を手のひらで押さえながら貼ることができる。
【図面の簡単な説明】
【０００６】
【図１】本発明の基本構造を示した斜視図である。
【図２】本発明のシート間に手を入れた様子を示した斜視図である。
【図３】本発明で皮膚に貼るときの最初の様子を示した断面図である。
【図４】本発明で半分位貼れたときの様子を示した断面図である。
【図５】本発明で大部分貼れたときの様子を示した断面図である。
【発明を実施するための形態】
【００７】  形態は  湿布の保護シートの上にさらに保持シートを設け、湿布の両側の辺のシート同士を接合した接合部を設ける。これにより保護シートと保持シートの間に手を入れることができる。
【実施例】
【００８】  本発明の実施例を図１〜５に基づき説明する。
図１は湿布の保護シート（３）の上に保持シート（４）を設け  さらに両側の辺を接合した接合部（５）を設けた湿布剤である。図２の様にシートとシートの間に手を入れて  手のひら側に湿布剤が来るように保持する。拇指側または小指側から湿布の支持体（１）と膏薬部（２）が保護シート（３）から剥がれ皮膚（８）に密着するのであるが図３，４，５では拇指側から貼る様子を示している。図３では拇指側の接合部（５）より支持体（１）と膏薬部（２）が剥がれ皮膚（８）に膏薬部（２）が密着している様子を断面図で示している。膏薬部（２）を接合部（５）から剥がすには最初に他方の手で剥がしておくか  または  シートの間に入れた手の拇指（６）の外側で接合部（５）を皮膚（８）に圧迫して剥がしても良い。このとき接合部（５）の幅が狭い程膏薬部（２）が保護シート（３）から剥がれ易い。保持シート（４）の形態は  手をシート間に入れ易いように中央部を狭くしても良いし保護シート（３）より薄くする等性状を変えても良い。接合部（５）は保持シート（４）の保持機能が損なわれなければ部分的接合でも良い。
図４では保護シートと保持シートの間に入れた手指と手のひらで湿布を皮膚（８）に圧迫しながら手を拇指側へ横に移動して貼る動作の様子を示している。この動作はシートの間に入れた手だけで行うことができる。
図５では大部分貼れたときの様子を示している。図３図４の継続で手を横に移動しつつ手を開き小指側で保護シート（３）と支持体（１）と膏薬（２）を皮膚（８）に圧迫しながら膏薬（２）を皮膚（８）に貼っている様子を示す。
【符号の説明】
【００９】  １  支持体
２  膏薬部
３  保護シート
４  保持シート
５  接合部
６  拇指
７  小指
８  皮膚
【図１】
2015036380.tif 000003
【図２】
2015036380.tif 000004
【図３】
2015036380.tif 000005
【図４】
2015036380.tif 000006
【図５】
2015036380.tif 000007
(57)【要約】      （修正有）【課題】地熱利用を地球表面の任意の場所で可能とする手段を提供する。【解決手段】プレートとプレートが衝突すると火山地帯ができ、プレートに圧力が加わると熱を発生する。同様にフォトンが原因である重力がプレートに圧力を加えると熱を発生する。地球表面（海底を含む）の任意の場所に穴を掘り地中から熱（重力によるプレートの熱も含まれる）を取り出すことが可能である。【選択図】なし【特許請求の範囲】
【請求項１】
地球表面（海底を含む）の任意の場所で穴を掘り、地中の熱（重力によるプレートの熱も含まれる）を取り出す方法。
【発明の詳細な説明】
【技術分野】
【０００１】  プレートとプレートが［００１１］より衝突すると火山地帯ができプレートに圧力を加えると熱を発する。同様にフォトンが原因である重力はプレートに圧力を加えると熱を発する。よって地球表面（海底を含む）の任意の場所で穴を掘れば重力による熱を含むを地熱を取り出すことができる。
【背景技術】
【０００２】  地熱利用が十分でない。
【発明の概要】
【発明が解決しようとする課題】
【０００３】  地熱利用を地球表面の任意の場所で得ることである。
【課題を解決するための手段】
【０００４】  地球表面の任意の場所に穴を掘り、地中から熱（重力によるプレートの熱も含まれる）を取り出すことである。
【発明の効果】
【０００５】  現在の地熱利用のように熱水・水蒸気が出る所に限らず、この発明の地熱利用は地球表面の任意の場所で穴を掘り地熱（重力によるプレートの熱も含まれる）を利用できる。
【発明を実施するための形態】
【０００６】  地中から熱を取り出すために地球表面の任意の場所に穴を掘る。次に水を入れ熱水・水蒸気を取り出す。このことによって重力によるプレート熱を含む地熱利用を実現する。
【宇宙空間にフォトンが存在することの説明】
【０００７】  太陽の近くを通過する光は曲がり、銀河のレンズ効果により銀河の近くを通過する光も屈折する。また地球の地平線近くの月の光は、大気によって曲がり、月は大きく見える。このことから宇宙空間には地球の大気のようなもの、つまり光を伝え曲げる物質フォトンが存在することがわかる。また地球の大気によって光が曲がることは、月が地線から高くあがると月が通常の大きさに（小さく）見えることから大気によって、光が曲がることがわかる。
【プレートに圧力を加えると熱を出す説明】
【０００８】  プレートとプレートが［００１１］より衝突する所には火山地帯があり、プレートに圧力を加えると熱を出すことがわかる。
【重力の原因はフォトンであることの説明】
【０００９】  宇宙にいる宇宙船の内部で数ＣＣの液体の水を放出すると球の形になる。原因は宇宙船内の空気の圧力である。同様に宇宙空間に地球のような物質があると球の形になる。宇宙空間にフォトンが存在すると原因は宇宙空間にあるフォトンの圧力であり、重力の原因はフォトンの圧力であるということになる。
【地殻中の温度の説明】
【００１０】  大陸地殻の底で約４００℃海洋地殻の底で約２００℃である。（日本大百科全書１５−地熱  ページ２７９より）また地球はフォトンが原因である重力の影響を受けほぼ球形であるのでマントル・核もほぼ球形であり地球表面の任意の場所で穴を掘って熱を出すことが出来る。よって地球表面（海底を含む）の任意の場所で地熱利用ができる。
【地熱の原因】
【００１１】  地熱は、太陽の周りに散らばっていた微小天体が集積して衝突した時のエネルギー、地球の核が形成されたときのエネルギー、地殻の中やマントル上部にある長寿命の放射性元素の崩壊の際に放出される熱エネルギーなどに由来する。（日本大百科全書１５−地熱  ページ２７９より）また、ユーラシアプレート・太平洋プレート・フィリピン海プレート・北アメリカプレートの境界ではところどころで火山地帯があり、プレートが移動し衝突するとしたら、プレートに圧力を加えるとプレートは熱を出す証拠となる。もし、火山の熱がプレートの衝突によらないマントルに由来するものであれば火山地帯でハワイ諸島のようにプレートが移動する方向に火山が一列にならぶはずである。よって火山の熱がプレートの衝突によることがわかる。また、プレートに圧力を加えると熱を出すことがわかる。よって、フォトンの圧力である重力がプレートに圧力を加えると熱を出すことがわかり、地熱の一つの原因となる。よって大陸地殻の底で約４００℃海洋地殻の底で約２００℃であるので、重力による熱を含む地熱利用が出来る。また、プレートが運動することは超長基線電波干渉計（ＶＬＢＩ）など新しい宇宙測定技術により、プレートの運動が短期間で実測できるようになった（日本大百科全書２０−プレートテクトニクス  ページ７３３より）ことからわかる。
【従来の地熱利用と本発明の地熱利用との違い】
【００１２】  地熱に重力によるプレートの熱も含まれることは地熱利用に属する技術の分野における通常の知識を有する者が容易に発明することはできず、重力によりマントル・核がほぼ球型で地球表面の任意の場所（陸地だけでなく海底も含む）で地熱利用でき、また、地熱に重力によるプレートの熱も含まれるということは、日本大百科全書に記載されていない。よって本発明は公衆に知られていない発明である。